(57)【要約】【課題】保護育成すべき草木や新芽に草食動物や鳥など種々の動物が接近して食害を受けるのを防止し、しかも比較的安価に設置できるので広い面積の草木を保護するのに好適な動物食害の防止用設置物を提供する。【解決手段】地盤に略沿って配設する方形の枠体１によって、草木保護域Ａを囲繞してある。枠体１を構成する枠材２、２間には草木保護域Ａ上を横断する状態で鉄線、ピアノ線、ワイヤーなどからなる架設索８、８が掛架してある。各架設索８には風鈴１３、風車１４が設けてあり、枠材２には反射板１１、発光板１２が設けてある。【選択図】図１
2008259461.tif 000002
【特許請求の範囲】
【請求項１】
地盤に略沿って配設され、草木保護域を囲繞する枠体と、該草木保護域上を横断する状態で該枠体に掛架する架設索と、該架設索に設けた１以上の動物威嚇体とから構成してなる動物食害の防止用設置物。
【請求項２】
地盤に略沿って配設され、草木保護域を囲繞する枠体と、該草木保護域上を横断する状態で該枠体に掛架する帯状の架設索と、該架設索に交差する状態で前記枠体に掛架され、外力を受けて揺動することにより該架設索と摺動して異音を発生する線状威嚇体とから構成してなる動物食害の防止用設置物。
【請求項３】
前記枠体は、支持材を介して地盤から離間した状態で配設してあることを特徴とする請求項１又は２記載の動物食害の防止用設置物。
【請求項４】
前記枠体は、木製、コンクリート製、合成樹脂製或いは圧縮固化紙製の枠材と、該枠材に挿通されて軸方向端面から先端側を突出させた連結ロッドと、該連結ロッドの先端側に結合する連結体とにより枠状に構成してあることを特徴とする請求項１又は２記載の動物食害の防止用設置物。
【請求項５】
前記枠体に、動物威嚇体を設けてあることを特徴とする請求項１又は２記載の動物食害の防止用設置物。
【請求項６】
前記枠体には外部に開放する収容凹部を設け、該収容凹部内に動物忌避剤を収納してあることを特徴とする請求項１又は２記載の動物食害の防止用設置物。
【請求項７】
前記動物威嚇体は、進入する動物、風、光などの外力を受けて威嚇力を発揮する材料からなることを特徴とする請求項１又は２記載の動物食害の防止用設置物。
【請求項８】
前記動物威嚇体は、色或いは臭いによって威嚇力を発揮する材料からなることを特徴とする請求項１又は２記載の動物食害の防止用設置物。
【発明の詳細な説明】
【技術分野】
【０００１】
本発明は、畑や原野で成育する草木や新芽が動物、主に鹿に食べられる被害を未然に防止するための動物食害の防止用設置物に関する。
【背景技術】
【０００２】
近年、自然環境の保全に伴って鹿、猪などの野生動物が繁殖しているが、これら野生動物のうち特に草食動物である鹿によって草木や新芽が食べられてしまうという食害が増大している。この問題を解決する手段として、保護エリアを網状体によって覆う草食動物による食害の防止装置であって、前記網状体をスペーサを介して前記保護エリアから浮かせた状態で配置し、前記網状体をたるませた状態で配置した草食動物による食害の防止装置が知られている（特許文献１）。
【特許文献１】特許第３７９３５２４号公報
【発明の開示】
【発明が解決しようとする課題】
【０００３】
上述した従来技術は、網状体はたるませた状態で配置してあるから、草食動物は保護エリアに接近して網状体に鼻先を押し付けることや、足で踏み付けることによって草木を食べることが可能であるし、保護エリアを全面的に網状体で覆うことから、設置面積によっては莫大な費用が掛かるという問題がある。
【０００４】
本発明は上述した従来技術の問題点に鑑みなされたもので、保護育成すべき草木や新芽に草食動物や鳥など種々の動物が接近して食害を受けるのを防止し、しかも比較的安価に設置できるので広い面積の草木を保護するのに好適な動物食害の防止用設置物を提供することを目的とする。
【課題を解決するための手段】
【０００５】
上述した課題を解決するために構成した請求項１に係る本発明の手段は、地盤に略沿って配設され、草木保護域を囲繞する枠体と、該草木保護域上を横断する状態で該枠体に掛架する架設索と、該架設索に設けた１以上の動物威嚇体とからなる。
【０００６】
また、請求項２に係る本発明は、地盤に略沿って配設され、草木保護域上を囲繞する枠体と、該草木保護域を横断する状態で該枠体に掛架する帯状の架設索と、該架設索に交差する状態で前記枠体に掛架され、外力を受けて揺動することにより該架設索と摺動して異音を発生する線状威嚇体とからなる。
【０００７】
そして、前記枠体は、支持材を介して地盤から離間した状態で配設するとよい。
【０００８】
また、前記枠体は、木製、コンクリート製、合成樹脂製又は圧縮固化紙製の枠材と、該枠材に挿通されて軸方向端面から先端側を突出させた連結ロッドと、該連結ロッドの先端側に結合する連結体とにより枠状に構成するとよい。
【０００９】
更に、前記枠体にも、動物威嚇体を設けるとよい。
【００１０】
更に、前記枠体には外部に開放する収容凹部を設け、該収用凹部内に動物忌避剤を収納した構成にするとよい。
【００１１】
更にまた、前記動物威嚇体は、進入する動物、風、光などの外力を受けて威嚇力を発揮する材料により構成するとよい。
【００１２】
また、前記動物威嚇体は、色或いは臭いによって威嚇力を発揮する材料により構成するとよい。
【発明の効果】
【００１３】
本発明は、上述の構成にすることにより以下の諸効果を奏する。
（１）請求項１に係る本発明によれば、地盤に配設する枠体に掛架した架設索に１以上の動物威嚇体を設けることにより、動物を威嚇して草木生育域に接近しないようにしたから、動物による草木の食害を未然に防止できるし、構成が簡単なので設置費、保守費を節減することができる。
（２）請求項２に係る本発明によれば、草木保護域を十字状に横断する状態で枠体に帯状架設索と線状威嚇体を掛架し、風、進入する動物などの外力で揺動する線状威嚇体が架設索と摺動することにより発生する異音により動物を威嚇排除することができるし、構成が簡単で施工も容易である。
（３）枠体は支持材を介して地盤から離間して設置することにより、設置場所が不整地、傾斜地、軟弱地といった地形や地質でも整地作業なしに設置ができる。また、地盤の通風性を確保できるし、小動物の移動を妨げることがないなど、小動物が生息している自然環境を変えることなく設置することができる。
（４）枠体は、木製、コンクリート製、合成樹脂製又は圧縮固化紙製の枠材と、枠材に挿通して両端側が突出する連結ロッドと、連結ロッドに係合する連結体とから構成したので、構成が簡単でしかも強度性があり、また現場での設置作業が容易であるし、枠材を連結して延長することにより必要な数の草木保護域を囲繞することができる。
（５）枠体にも動物威嚇体を設けたから、威嚇効果を高めることができる。
（６）枠体に外部に開放した状態で収容凹部を設け、収用凹部内に動物忌避剤を収納したから、動物威嚇体と相乗して動物を排除できるばかりでなく、無風や曇りなどの天候、夕刻などの時間帯によって動物忌避体が十分に機能しない場合にも接近する動物を排除することができる。
（７）動物威嚇体は進入する動物、風、光などの１種以上の外力を受けて威嚇力を発揮する材料を用いるようにしたから、風力が強い、日照時間が長いといった設置場所の種々の条件に合った動物威嚇体を選択して使用できるし、複数種の動物威嚇体を併用することにより威嚇効果を持続させることができる。
（８）動物威嚇体は、色或いは臭いによって威嚇力を発揮する材料を用いることにより、無風時や夜間にも威嚇できるし、各動物に有効な動物威嚇体を選択して用いることにより威嚇力を働かせることができる。
【発明を実施するための最良の形態】
【００１４】
以下、本発明の実施の形態を図面に基づき説明する。図１乃至図４は第１の実施の形態を示す。図において、１は複数の草木生育域Ａ、Ａ、・・を方形状に囲繞する枠体で、該枠体１は地盤Ｇに接した状態で設置してある。２、２、・・・は該枠体１を構成する複数本の枠材で、該枠材２は例えば間伐材などの木材、コンクリート製や合成樹脂製の柱材、古紙などを圧縮固化した再生材からなり、略中心には軸方向の両端面２Ａ、２Ａに開口する貫通穴２Ｂが形成してある。３は枠材２の貫通穴２Ｂに挿通された棒鋼からなる連結ロッドで、該連結ロッド３は全周ねじを刻設したものからなり、枠材２の端面２Ａ、２Ａから突出する両端側は雄ねじ部３Ａ、３Ａになっている。
【００１５】
４、４、・・・は枠材２を方形状に連結するための連結体を示し、該連結体４は鋼板を平面略四角形に屈曲して形成した連結枠５と、該連結枠５の４面の当接板５Ａ、５Ａ、・・の略中心に穿設したロッド挿通穴６とから構成してある。なお、連結体４は耐食性を考慮してメッキ処理を施した金属製或いはステンレススチール製の金属材を屈曲して形成したものや、合成樹脂材で成形したものからなるが、木製板を接合したものを用いてもよい。
【００１６】
かくして、枠体１は複数本の枠材２、２、・・・と、連結ロッド３、３、・・・と、複数個の連結体４、４、・・とから構成してあり、連結ロッド３の雄ねじ部３Ａを連結体４の各面のロッド挿通穴６に挿入して雄ねじ部３Ａにナット７を螺合することにより、４本の枠材２、２、・・と４個の連結体４、４、・・によって最小単位としての方形の枠体１を構成することができる。そして、この枠体１に３本の枠材２、２、２と２個の連結体４、４を１組として連結することにより、地盤Ａ上に複数の草木生育域Ａ、Ａ、・・を囲繞する枠体１を縦横方向に敷設することができる。なお、枠体１は、図示しないアンカーロッドを各連結体４内から地盤Ｇに打ち込んで上端側の折り曲げ部を連結体４に係合させることにより、地盤Ｇ上に固定してある。
【００１７】
８、８、・・・は対向する枠材２、２間に適度の張力を付与して掛架することにより、各草木生育域Ａ上を横断するように設けた複数本の架設索を示し、該各架設索８には鉄線、ピアノ線、ワイヤーなどを用いている。該各架設索８は適度の間隔を隔てて互いに平行に配設してあり、枠材２、２の略中間に位置して地盤Ｇに立設した四角柱からなる支持杭９によって中間部分を支持し、Ｕ字釘で係止することにより垂れ下がりを防止し、また強度性を付与している。
【００１８】
１１、１１、・・・は枠材２の外面に適度の間隔を存して配設した動物威嚇体としての反射板で、該反射板１１は例えば金属製基板の一面にガラス粒を貼着した反射板、基板に反射塗料を塗布した反射板など太陽光や月光を受けて反射することのできるものである。そして、各反射板１１は若干斜め上方で、外向きに設けてあり、外方から接近する動物に反射光が視認され易いようにしてある。
【００１９】
また、１２、１２、・・・は各支持杭９の各面に設けた発光板で、該発光板１２は例えば基板に蛍光剤や蓄光剤を塗布したものからなっており、夜間に接近する動物を威嚇するのに有効である。なお、発光板１２は枠材２に設けてもよいし、支持杭９に反射板１１を設けてもよい。
【００２０】
１３、１３、・・・は架設索８に取着した風鈴で、該風鈴１３は鐘１３Ａの中で揺動する舌に短冊１３Ｂを吊下げることにより、弱い風によっても揺動して威嚇音を発するようにしてある。
【００２１】
また、１４、１４、・・・は架設索８に設けた風車を示す。該風車１４は反射機能を有するように銀メッキした合成樹脂材或いはアルミニュウムで形成してあり、中心に形成した穴に架設索８を貫通し、前後側を図示しないストッパで係止することにより移動することなく所定の位置で回転するようにしてある。
【００２２】
図４は本実施の形態の変形例を示し、その特徴は枠体１を地盤Ｇから上方に離間させて配置したことにある、１５、１５、・・・は枠体１を地盤Ｇから所望の高さに支持する長さを有する複数本の支持杭で、該各支持杭１５は間伐材を適宜の長さに切断し、先端側を先窄まりに形成して打ち込み易いようにしてある。そして、地盤Ｇに打ち込んだ各支持杭１５上に連結体４を載置してアンカーピンなどで固定することにより枠体１は地盤Ｇから離間して設置してある。なお、地盤Ｇと枠体１の間隔は、例えば鹿が鼻先を差し込むことができない程度の間隔、約１０ｃｍが目安である。
【００２３】
このように枠体１を地盤Ｇから離間させて設置することにより、地盤Ｇが凹凸面であっても整地作業を行うことなく安定性よく設置できるし、地盤Ｇ上の通風性を確保でき、また小動物の移動を妨げることがない。
【００２４】
図５及び図６は第２の実施の形態を示し、その特徴とするところは枠体２１を構成する枠材２２に外部に開放する横長の四角形で、縦断面略コ字状の凹部からなる忌避剤収容部２３、２３を離間して形成し、該各忌避剤収容部２３内に動物忌避剤２４を収納したことにある。本実施の形態によれば、前述した反射板１１、発光板１２、風車による光、風鈴による音によって動物を威嚇するのに併せて、或いはこれらに代えて臭いで威嚇することにより、気象条件の影響を受けることなく動物を威嚇して除去することができる。なお、動物忌避剤としては、テトラヒドロチオフェン、β‐ナフトール、クレオソート、シクロへキシミド、ジアリルジスルフィド、木酢液などがある。使用場所と威嚇の対象とする動物に応じてこれら動物忌避剤を適宜選択して或いは組合せて使用するとよい。
【００２５】
また、スズメは酸化第二鉄の赤色を忌避するから、色彩も動物忌避剤として使用するとよい。
【００２６】
図７は第３の実施の形態を示す。図において３１、３１、・・は枠体１を構成する枠材２、２間に草木保護域Ａ上を横断するように掛架した複数本の帯状架設索で、該各帯状架設索３１は横幅が約１５〜２０ｍｍのスチールベルトからなり、枠材２に釘などによって張力を付与した状態で固定してある。なお、帯状架設索３１の上下面には細かい無数の溝を形成しておくことにより、より一層確実に異音を発生させることができる。
【００２７】
３２は前記帯状架設索３１、３１と交差した状態で枠材２、２間に掛架した線状威嚇体を示す。該線状威嚇体３２は帯状架設索３１と常時接触した状態で、かつ風力を受けた時に揺動するように弛ませて架設してある。
【００２８】
本実施の形態によれば、帯状架設索３１に接している線状威嚇体３２を風力や進入する動物によって摺動させることにより、異音を発生させて動物を威嚇するものである。なお、第１実施の形態で用いた音、光などの動物威嚇体である反射板１１、発光板１２、風鈴１３、風車１４を帯状架設索３１或いは線状威嚇体３２に設けたり、第２の実施の形態で用いた動物忌避剤２４を枠材２に設けてもよいことは勿論である。
【図面の簡単な説明】
【００２９】
【図１】図１乃至図４は本発明の第１の実施の形態に係り、図１は動物食害の防止用設置物の外観斜視図である。
【図２】枠材と連結体の結合を示す部分拡大平面図である。
【図３】図１の部分拡大図である。
【図４】変形例に係る動物食害の防止用設置物の部分外観斜視図である。
【図５】図５及び図６は第２の実施の形態に係り、図５は動物食害の防止用設置物の部分外観斜視図である。
【図６】動物食害の防止用設置物の拡大断面図である。
【図７】第３の実施の形態に係る動物食害の防止用設置物の外観斜視図である。
【符号の説明】
【００３０】
１、２１    枠体
２、２２    枠材
３        連結ロッド
４        連結体
８        架設索
９        支持杭
１１      反射板
１２      発光板
１３      風鈴
１４      風車
２３      忌避剤収容部
２４      動物忌避剤
３１      帯状架設索
３２      線状威嚇体
Ａ        草木保護域
Ｇ        地盤
【図１】
2008259461.tif 000003
【図２】
2008259461.tif 000004
【図３】
2008259461.tif 000005
【図４】
2008259461.tif 000006
【図５】
2008259461.tif 000007
【図６】
2008259461.tif 000008
【図７】
2008259461.tif 000009